(57)【要約】【課題】高周波動作モードでの信号処理に対応するとともに、低周波動作モードでの信号処理で低消費電力化を図ること。【解決手段】本発明は、信号の周波数が異なる複数の動作モードに対応し、各動作モード毎に入力した信号を外部の信号処理装置へ送る信号出力装置において、複数の動作モードに応じて信号処理装置に対する電流源の電流値を切り換えるスイッチＳＷ１、ＳＷ２を備えるものである。また、信号の周波数が異なる複数の動作モードに対応し、各動作モード毎に入力した信号を処理して出力する信号処理装置において、複数の動作モードに応じて信号の入力線路におけるインピーダンスマッチング用の終端抵抗の値を切り換えるスイッチを備えるものである。【選択図】図３
2005191800.tif 000002
【特許請求の範囲】
【請求項１】
信号の周波数が異なる複数の動作モードに対応し、各動作モード毎に入力した信号を外部の信号処理装置へ送る信号出力装置において、
前記複数の動作モードに応じて前記信号処理装置に対する電流源の電流値を切り換える切り換え手段を備えている
ことを特徴とする信号出力装置。
【請求項２】
前記切り換え手段は、前記信号の周波数が低い動作モードの場合ほど前記電流源の電流値を小さい方へ切り換える
ことを特徴とする請求項１記載の信号出力装置。
【請求項３】
信号の周波数が異なる複数の動作モードに対応し、各動作モード毎に入力した信号を処理して出力する信号処理装置において、
前記複数の動作モードに応じて前記信号の入力線路におけるインピーダンスマッチング用の終端抵抗の値を切り換える切り換え手段を備えている
ことを特徴とする信号処理装置。
【請求項４】
前記切り換え手段は、前記信号の周波数が低い動作モードの場合ほど前記終端抵抗の値を大きい方へ切り換える
ことを特徴とする請求項３記載の信号処理装置。
【請求項５】
画像信号の周波数が異なる複数の動作モードに対応し、各動作モード毎に入力した画像信号を外部の信号処理装置へ送る固体撮像装置において、
前記複数の動作モードに応じて前記信号処理装置に対する電流源の電流値を切り換える切り換え手段を備えている
ことを特徴とする固体撮像装置。
【請求項６】
前記切り換え手段は、前記画像信号の周波数が低い動作モードの場合ほど前記電流源の電流値を小さい方へ切り換える
ことを特徴とする請求項５記載の固体撮像装置。
【請求項７】
信号の周波数が異なる複数の動作モードに対応し、受け付けた前記信号に基づく電流を出力するドライバと、前記ドライバから出力された電流に基づく電圧出力を行うレシーバとを備えるインタフェース装置において、
前記ドライバは、前記複数の動作モードに応じて前記レシーバへ出力する電流の電流源の電流値を切り換える切り換え手段を備えている
ことを特徴とするインタフェース装置。
【請求項８】
前記切り換え手段は、前記信号の周波数が低い動作モードの場合ほど前記電流源の電流値を小さい方へ切り換える
ことを特徴とする請求項７記載のインタフェース装置。
【請求項９】
信号の周波数が異なる複数の動作モードに対応し、受け付けた前記信号に基づく電流を出力するドライバと、前記ドライバから出力された電流に基づく電圧出力を行うレシーバとを備えるインタフェース装置において、
前記レシーバは、前記複数の動作モードに応じて前記ドライバとの間のインピーダンスマッチング用の終端抵抗の値を切り換える切り換え手段を備えている
ことを特徴とするインタフェース装置。
【請求項１０】
前記切り換え手段は、前記信号の周波数が低い動作モードの場合ほど前記終端抵抗の値を大きい方へ切り換える
ことを特徴とする請求項９記載のインタフェース装置。
【請求項１１】
画像信号を出力する固体撮像装置と、前記固体撮像装置から出力された画像信号に対する処理を行う画像処理装置とを備える電子機器において、
前記固体撮像装置は、前記画像信号の出力周波数が異なる複数の動作モードに対応し、前記複数の動作モードに応じて前記画像処理装置へ出力する信号の電流源の電流値を切り換える切り換え手段を備えている
ことを特徴とする電子機器。
【請求項１２】
前記固体撮像装置の切り換え手段は、前記画像信号の周波数が低い動作モードの場合ほど前記電流源の電流値を小さい方へ切り換える
ことを特徴とする請求項１１記載の電子機器。
【請求項１３】
画像信号を出力する固体撮像装置と、前記固体撮像装置から出力された画像信号に対する処理を行う画像処理装置とを備える電子機器において、
前記固体撮像装置は、前記画像信号の出力周波数が異なる複数の動作モードに対応しており、
前記信号処理装置は、前記固体撮像装置の前記複数の動作モードによって前記固体撮像装置との間のインピーダンスマッチング用の終端抵抗の値を切り換える切り換え手段を備えている
ことを特徴とする電子機器。
【請求項１４】
前記信号処理装置の切り換え手段は、前記信号の周波数が低い動作モードの場合ほど前記終端抵抗の値を大きい方へ切り換える
ことを特徴とする請求項１３記載の電子機器。
【請求項１５】
信号の周波数が異なる複数の動作モードによって受け付けた前記信号に基づく電流をドライバから出力し、前記ドライバから出力された電流をレシーバで受けて所定の電圧出力を行うインタフェース装置の動作方法において、
前記ドライバは、前記複数の動作モードに応じて前記レシーバへ出力する電流の電流源の電流値を切り換える
ことを特徴とするインタフェース装置の動作方法。
【請求項１６】
前記ドライバの切り換え手段は、前記信号の周波数が低い動作モードの場合ほど前記電流源の電流値を小さい方へ切り換える
ことを特徴とする請求項１５記載のインタフェース装置の動作方法。
【請求項１７】
信号の周波数が異なる複数の動作モードによって受け付けた前記信号に基づく電流をドライバから出力し、前記ドライバから出力された電流をレシーバで受けて所定の電圧出力を行うインタフェース装置の動作方法において、
前記レシーバは、前記複数の動作モードに応じて前記ドライバとの間のインピーダンスマッチング用の終端抵抗の値を切り換える
ことを特徴とするインタフェース装置の動作方法。
【請求項１８】
前記レシーバの切り換え手段は、前記信号の周波数が低い動作モードの場合ほど前記終端抵抗の値を大きい方へ切り換える
ことを特徴とする請求項１７記載のインタフェース装置の動作方法。
【発明の詳細な説明】
【技術分野】
【０００１】
本発明は、信号の周波数が異なる複数の動作モードを取り扱う信号出力装置、信号処理装置、固体撮像装置、インタフェース装置、電子機器ならびにインタフェース装置の動作方法に関する。
【背景技術】
【０００２】
差動インタフェースとして、例えばＬＶＤＳ（Low Voltage Differential signaling:低電圧差動通信）が知られている。図７は従来の差動インタフェース（ＬＶＤＳ）を説明する回路図である。この差動インタフェースにおいて、ドライバ側では信号の０、１に応じて例えば３.５ｍＡの電流源から送られる電流の向きを制御する。この差動インタフェースでは、差動インピーダンス１００Ωの伝送線路の先に１００Ωの終端抵抗が設けられている。レシーバ側では、この終端抵抗に現われる３５０ｍＶの電位差を増幅する。
【０００３】
ＬＶＤＳは数百ＭＨｚ以上の信号のインタフェースとして、低消費電力、小ノイズ輻射、高外来ノイズ耐性、低価格の特徴を持つ（例えば、特許文献１、非特許文献１参照。）。
【０００４】
ここで、固体撮像装置としてＣＭＯＳセンサが有る。ＣＭＯＳセンサは、半導体基板の上に光を電気信号に変換する画素が行列上に多数並んでおり、さらに同一基板上に画素を駆動する回路や画素の信号を処理、出力する回路が集積されている。ＣＭＯＳセンサは高画素、高フレームレートの出力の場合は大量の画像データを非常に高い周波数で出力する必要があるとともに、間引きや加算機能を備えることが容易で、動作モードによって、１枚あたりの画像データが数分の１から数百分の１になるモードが有る。
【０００５】
また、監視用や通信の帯域が限られたＴＶ電話など、フレームレートを落として良い場合が有り、このときも単位時間当たりの画像データは少なくなる。例えば、３００万画素のＣＭＯＳセンサの全画素出力を１０ビット、３０フレーム／秒のシリアル出力で信号出力を行う場合は、約１．３ＧＨｚの周波数になる。これを、通常は単にモニタリングをしておけばいい場合は、間引きや加算により、例えば１０万画素の画像を７．５フレーム／秒で出力すればよいとすると、約１０ＭＨｚでよい。
【０００６】
【特許文献１】特開２０００−０４１０７２号公報
【非特許文献１】ナショナルセミコンダクターコーポレーション、”ＬＶＤＳ入門”、[online]、２００３年、[平成１５年１１月１８日検索]、インターネット＜URL:http://www.national.com/JPN/appinfo/lvds/files/ch1.pdf＞
【発明の開示】
【発明が解決しようとする課題】
【０００７】
このように、ＣＭＯＳセンサは単位時間に同一チップから出すべきデータの量が、動作モードによって、例えば数百倍変動する。つまり、高画素、高速のＣＭＯＳセンサは大量のデータを低消費電力で出力しなければならないことから、ＣＭＯＳセンサにＬＶＤＳのような差動インタフェースを用いると有効である。
【０００８】
しかし、用途によっては、高画素高速で動作するのは肝心な場合だけで、ほとんどの期間は少量のデータを出力していればよいというものがある。ＬＶＤＳは、数百ＭＨｚ以上といった高速の場合は、消費電力の増大が抑えられるので低消費電力だが、百ＭＨｚ以下といった低速の場合は、消費電力が下がらないので単にＨｉｇｈ，Ｌｏｗの電圧値で出力するよりも消費電力を食ってしまう。特に、通常はモニタリングしていてシャッタが切られたときだけ全画素出力するデジタルカメラや、不審者を発見したときだけ解像度をあげる電池駆動の監視カメラなどのように、肝心なとき以外はできるだけ消費電力を下げたい場合には不向きである。
【課題を解決するための手段】
【０００９】
本発明はこのような課題を解決するために成されたものである。すなわち、本発明は、信号の周波数が異なる複数の動作モードに対応し、各動作モード毎に入力した信号を外部の信号処理装置へ送る信号出力装置において、複数の動作モードに応じて信号処理装置に対する電流源の電流値を切り換える切り換え手段を備えているものである。
【００１０】
また、本発明は、信号の周波数が異なる複数の動作モードに対応し、各動作モード毎に入力した信号を処理して出力する信号処理装置において、複数の動作モードに応じて信号の入力線路におけるインピーダンスマッチング用の終端抵抗の値を切り換える切り換え手段を備えているものである。
【００１１】
また、本発明は、画像信号の周波数が異なる複数の動作モードに対応し、各動作モード毎に入力した画像信号を外部の信号処理装置へ送る固体撮像装置において、複数の動作モードに応じて信号処理装置に対する電流源の電流値を切り換える切り換え手段を備えているものである。
【００１２】
また、本発明は、信号の周波数が異なる複数の動作モードに対応し、受け付けた信号に基づく電流を出力するドライバと、ドライバから出力された電流に基づく電圧出力を行うレシーバとを備えるインタフェース装置において、このドライバとして、複数の動作モードに応じてレシーバへ出力する電流の電流源の電流値を切り換える切り換え手段を備えているものである。
【００１３】
また、本発明は、上記インタフェース装置において、レシーバとして、複数の動作モードに応じてドライバとの間のインピーダンスマッチング用の終端抵抗の値を切り換える切り換え手段を備えているものである。
【００１４】
また、本発明は、画像信号を出力する固体撮像装置と、固体撮像装置から出力された画像信号に対する処理を行う画像処理装置とを備える電子機器において、固体撮像装置として、画像信号の出力周波数が異なる複数の動作モードに対応し、複数の動作モードに応じて画像処理装置へ出力する信号の電流源の電流値を切り換える切り換え手段を備えているものである。
【００１５】
また、本発明は、上記電子機器において、信号処理装置として、固体撮像装置の複数の動作モードによって固体撮像装置との間のインピーダンスマッチング用の終端抵抗の値を切り換える切り換え手段を備えているものである。
【００１６】
また、本発明は、信号の周波数が異なる複数の動作モードによって受け付けた信号に基づく電流をドライバから出力し、ドライバから出力された電流をレシーバで受けて所定の電圧出力を行うインタフェース装置の動作方法において、ドライバが、複数の動作モードに応じてレシーバへ出力する電流の電流源の電流値を切り換える方法である。
【００１７】
また、本発明は、上記インタフェース装置の動作方法において、レシーバが、複数の動作モードに応じてドライバとの間のインピーダンスマッチング用の終端抵抗の値を切り換える方法である。
【００１８】
このような本発明では、信号の周波数が異なる複数の動作モードのうちいずれかを選択して信号の処理を行うにあたり、信号の周波数が高い動作モードでの信号処理に対応しつつ、信号の周波数が低い動作モードでの消費電力の低減を図ることができるようになる。
【発明の効果】
【００１９】
したがって、本発明によれば、高速インタフェースを用いながらもデータレートが低速の時にはその消費電力を低減することができ、高速信号処理と低速信号処理時の消費電力低減とを両立することが可能となる。
【発明を実施するための最良の形態】
【００２０】
以下、本発明の実施の形態を図に基づき説明する。なお、本実施形態では、電子機器としてＣＭＯＳセンサから成る固体撮像装置を用いたカメラモジュールを例として説明するが、本発明はこれに限定されるものではない。
【００２１】
図１は、本実施形態に係る固体撮像装置の構成例を説明する模式平面図である。すなわち、この固体撮像装置１はＣＭＯＳセンサから成る画素１０が複数マトリクス状に配置された画素部１１を有し、この画素部１１の周辺に通信・タイミング生成回路１２、Ｖ駆動回路１３、カラムＡＤ回路１４、Ｈ駆動回路１５、信号処理回路１６およびドライバ１７が設けられた構成となっている。
【００２２】
画素部１１には、光を電気信号に変換する画素（ＣＭＯＳセンサ）１０が縦横複数個配列され、２次元で画像信号を取得できるようになっている。通信・タイミング生成回路１２は、入力クロックと、動作モードなどを指令するデータを受け取り、また、固体撮像装置１の情報を含むデータを出力する。また、固体撮像装置１の各部の動作に必要なクロックやパルスを供給する。
【００２３】
Ｖ駆動回路１３は、画素部１１の行を選択し、その行に必要なパルスを供給する。カラムＡＤ回路１４は画素部１１の列に対応して設けられており、１行分の画素の信号を受けてその信号をＡＤ変換する。なお、カラムＡＤ回路１４では、同時にＣＤＳ（Correlated Double Sampling：固定パターンノイズ除去の処理）や信号増幅を行ってもよい。
【００２４】
Ｈ駆動回路１５は、カラムＡＤ回路１４を順番に選択し、その信号を水平信号線に導く。水平信号線は、例えばカラムＡＤ回路１４が１０ｂｉｔなら、例えばそれぞれのｂｉｔに対応して１０本配置される。なお、図１では１本のみが示されている。
【００２５】
信号処理回路１６は、水平信号線の信号を処理してドライバ１７に渡す処理を行う。信号処理としては、例えば、バッファリングだけする場合もあるし、その前に黒レベル調整、列ばらつき補正、信号増幅、色関係処理、パラレルシリアル変換などを行うこともある。ドライバ１７はその出力を差動化し、外部に出力する。
【００２６】
ここで、固体撮像装置１は複数の動作モードに対応している。一つは高速のデータレートを使用する全画素読み出しモードであり、全画素の信号を順に読み出す。他に低速のデータレートを使用する間引き加算モードがあり、解像度を落として数分の１から数百分の１の画像データを出力する。したがって、全画素読み出しモードでは信号の周波数が高く（例えば、約１．３ＧＨｚ）、加算モードでは信号の周波数が低くなり（例えば、約１０ＭＨｚ）、各々のモードで取り扱う信号の周波数が異なる。
【００２７】
図２は、図１に示す固体撮像装置を用いたカメラモジュールの構成図である。カメラモジュール１００は、絞りＳおよびレンズＬを介して取得した光をＣＭＯＳセンサである固体撮像装置１の画素で電気信号に変換し、この信号を画像処理装置であるＤＳＰ（Digital Signal Processor）２に出力する。ＤＳＰ２では、固体撮像装置１から受けた信号に対してホワイトバランス調整、輪郭強調、データ圧縮などをして出力する。また、固体撮像装置１におけるＣＭＯＳセンサの電子シャッタの調整や、絞りＳの調整などの制御も行う。
【００２８】
ここで、固体撮像装置１と次段ＩＣであるＤＳＰ２との間のインタフェース装置５０について説明する。インタフェース装置５０は、例えば固体撮像装置１とＤＳＰ２との間で信号の受け渡しを行うもので、ドライバ５１およびレシーバ５２から構成される。なお、図２における固体撮像装置１のドライバ５１は、図１における固体撮像装置１のドライバ１７と対応している。
【００２９】
図３は本実施形態に係るインタフェース装置（その１）を説明する回路図である。このインタフェース装置５０はＬＶＤＳ（Low Voltage Differential signaling）から成るものであるが、電流源の電流が１．７ｍＡと３．５ｍＡの２種類選択できる点で従来のＬＶＤＳと異なる。
【００３０】
すなわち、信号の周波数が異なる複数の動作モードを備える場合、各動作モードに応じて電流源の電流値を切り換える切り換え手段であるスイッチＳＷ１、ＳＷ２を備えている。これにより、高速のデータレートを使用する全画素読み出しモードでは、３．５ｍＡを選択し、通常のＬＶＤＳでの出力を行う。一方、低速のデータレートを使用する間引き加算モードでは１．７ｍＡを選択し、約１／２の電流値で出力を行う。
【００３１】
このとき、１００Ωの終端抵抗に表れる電圧は約半分の１７０ｍＶとなる。次段ＩＣのレシーバ５２では、間引き加算モードでは、この１７０ｍＶを増幅する。データレートが数分の１以下なので、１７０ｍＶの入力を増幅することは可能である。これによって、インタフェースで消費する電力を約１／２にすることができる。
【００３２】
次に、このインタフェース装置の動作方法を説明する。先ず、全画素読み出しモード（高周波動作モード）では、切り換え手段であるスイッチＳＷ１を閉、スイッチＳＷ２を開にして、３．５ｍＡの電流源を選択する。この状態でドライバ５１のＩＮに、例えばＬｏｗからＨｉｇｈに遷移する信号が入力されると、レシーバにおける３．５ｍＡ電流の向きが変化し、レシーバ５２の終端抵抗の両端Ａ−Ｂには、終端抵抗１００Ωに応じた電圧３５０ｍＶが反転して発生する。この場合の信号の状態を図４（ａ）に示す。
【００３３】
一方、間引き加算モード（低周波動作モード）では、切り換え手段であるスイッチＳＷ１を開、スイッチＳＷ２を閉にして、１．７ｍＡの電流源を選択する。この状態でＩＮに、例えばＬｏｗからＨｉｇｈに遷移する信号が入力されると、レシーバにおける１．７ｍＡの電流の向きが変化し、レシーバ５２の終端抵抗の両端Ａ−Ｂには、終端抵抗１００Ωに応じた電圧１７０ｍＶが反転して発生する。この場合の信号の状態を図４（ｂ）に示す。
【００３４】
間引き加算モードでは発生する電圧が、全画素読み出しモードに比べて低く、信号の立ち上がりも多少鈍っているものの、信号の周波数が低いことからレシーバ５２の後段の回路でも取り扱うことができる。したがって、カメラモジュールなど、動作の大部分が間引き加算モードで使用される電子機器に本実施形態のインタフェース装置を用いることで、消費電力の低減を図ることが可能となる。
【００３５】
図５は本実施形態に係るインタフェース装置（その２）を説明する回路図である。このインタフェース装置５０はＬＶＤＳから成るものであるが、レシーバ５２の終端抵抗である１００Ωの抵抗に直列に切り換え手段であるスイッチＳＷ３が設けられている点、このようなスイッチが設けられていない従来のＬＶＤＳと相違する。
【００３６】
すなわち、このインタフェース装置５０では、信号の周波数が異なる複数の動作モードを備える場合、各動作モードに応じてドライバ５１およびレシーバ５２間のインピーダンスマッチング用の終端抵抗の値を切り換え手段であるスイッチＳＷ３で切り換えられるようになっている。
【００３７】
このインタフェース装置の動作方法としては、先ず、高速のデータレートを使用する全画素読み出しモード（高周波動作モード）では、スイッチＳＷ３を閉にする。これにより、レシーバ５２の端子間に終端抵抗１００Ωが接続される状態となり、通常のＬＶＤＳでのインタフェース構成となる。
【００３８】
この状態でドライバ５１のＩＮに、例えばＬｏｗからＨｉｇｈに遷移する信号が入力されると、レシーバにおける３．５ｍＡ電流の向きが変化し、レシーバ５２の終端抵抗の両端Ａ−Ｂには、終端抵抗１００Ωに応じた電圧３５０ｍＶが反転して発生する。また、レシーバ５２のＯＵＴ端子にはレシーバ５２の電源電圧である１．８Ｖが発生する。この場合の信号の状態を図６（ａ）に示す。
【００３９】
一方、低速のデータレートを使用する間引き加算モード（低周波動作モード）ではＳＷ３を開にする。このときに、インピーダンスマッチングが取れなくなるので、ＩＮに、例えばＬｏｗからＨｉｇｈに遷移する信号が入力されると、レシーバ５２の反射のために波形が乱れて高速インタフェースは取れなくなるが、ある程度時間が経つと、レシーバ５２側入力の一端は電源電圧側に、他端はグランド側に落着き、電流源は電流を流さなくなる。その結果、例えば１００ＭＨｚ以下のような低速では、レシーバ５２側は信号を間違えずに再現できるとともに、低消費電力化が達成される。この場合の信号の状態を図６（ｂ）に示す。レシーバ出力は図のように一時的に振動する場合もあるが、例えばローパスフィルタを通したり、あるいはレシーバ自身の周波数特性を落とすことで、低速の信号を再現できる。
【００４０】
上記２つの例のように、動作モードに応じてインタフェース装置の取り方を変えることで、データレートの低いモニタリング時にはインタフェースの消費電力を少なくし、データレートの高い全画素読み出し時だけインタフェースの消費電力が大きくなるようにできる。
【００４１】
例えば、デジタルカメラでは撮像時間のうち９９％以上がモニタリングであるので、この状態では上記説明したデータレートの低い場合（低周波動作モード）のインタフェース装置の構成をとる。これにより、インタフェース装置の消費電力を低減できる効果は非常に大きい。
【００４２】
一方、シャッタが押された場合など、全画素読み出しを行う高周波動作モードになった場合は、このモード変更と連動して上記説明したデータレートの高い場合（高周波動作モード）のインタフェース装置の構成をとる。これにより、高速インタフェースを実現できる。
【００４３】
なお、本実施形態のインタフェース装置５０は、カメラモジュールの出力と、カメラモジュールを内蔵したデジタルカメラや携帯電話内の次段ＩＣとの間のインタフェースとしても全く同様である。
【００４４】
また、ここではデータレートの高い場合と低い場合を全画素読み出しと間引き加算で説明したが、その他にも、圧縮率の低い場合（データレート高）と高い場合（データレート低）や、フレームレートの高い場合（データレート高）と低い場合（データレート低）なども同様である。もちろん、カメラモジュールに限らず、データレートが動作モードによって数倍以上変わるＩＣ等において同様に適用可能である。
【００４５】
また、上記実施形態では、高周波動作モードと低周波動作モードの２つのモードを切り換える場合について説明したが、３つ以上の動作周波数の異なるモードを切り換える場合でも、それぞれのモードに応じた電流源の電流値切り換えや、終端抵抗値の切り換えを行う構成にすれば適用できる。さらに電流源の電流値や終端抵抗値の切り換えを連続的に行うようにしてもよい。
【産業上の利用可能性】
【００４６】
上記説明した図３に示すドライバ５１の構成は、信号の周波数が異なる複数の動作モードに応じて信号を出力する信号出力装置として種々の回路に適用できる。また、図５に示すレシーバ５２の構成は、信号の周波数が異なる複数の動作モードに応じて入力した信号を処理し、出力する信号処理装置として種々の回路に適用できる。
【００４７】
また、上記説明した図３に示すドライバ５１の構成を図１に示す固体撮像装置１のドライバ１７として組み込んで１チップ構成にすることもできる。さらに、図３や図５に示すドライバ５１およびレシーバ５２の構成から成るインタフェース装置５０を１チップで構成してもよいし、図２に示す固体撮像装置１、ＤＳＰ２およびインタフェース装置５０を１チップで構成してもよい。
【図面の簡単な説明】
【００４８】
【図１】本実施形態に係る固体撮像装置の構成例を説明する模式平面図である。
【図２】固体撮像装置を用いたカメラモジュールの構成図である。
【図３】本実施形態に係るインタフェース装置（その１）を説明する回路図である。
【図４】インタフェース装置（その１）の信号状態を示す図である。
【図５】本実施形態に係るインタフェース装置（その２）を説明する回路図である。
【図６】インタフェース装置（その２）の信号状態を示す図である。
【図７】従来の差動インタフェース装置（ＬＶＤＳ）を説明する回路図である。
【符号の説明】
【００４９】
１…固体撮像装置、２…ＤＳＰ、１０…画素、１１…画素部、１２…通信・タイミング生成回路、１３…Ｖ駆動回路、１４…カラムＡＤ回路、１５…Ｈ駆動回路、１６…信号処理回路、１７…ドライバ、５０…インタフェース装置、５１…ドライバ、５２…レシーバ、ＳＷ１〜ＳＷ３…スイッチ
【図１】
2005191800.tif 000003
【図２】
2005191800.tif 000004
【図３】
2005191800.tif 000005
【図４】
2005191800.tif 000006
【図５】
2005191800.tif 000007
【図６】
2005191800.tif 000008
【図７】
2005191800.tif 000009